(57)【要約】  締め紐機構を備えた靴の締め紐操作装置であって、靴ソールに嵌め込まれた支持体内に回転可能に配置され軸線方向で固定された巻取ディスクと、巻取ディスクに作用して巻き取られることのできる少なくとも１つの締め紐要素と、巻取ディスクに対して軸線方向で運動可能かつ靴の着用者によって押し下げ可能で回転方向では鎖錠された操作部材とを有し、操作部材が巻取ディスクとねじ係合しており、巻取ディスクが、押し下げ可能な操作部材によって緊締方向で回動可能、かつ緊締位置で鎖錠機構によって鎖錠可能であり、鎖錠機構が、外部から操作可能な解除部材によって解除可能であり、さらに、靴の着用者から加えられる力とは逆に働く戻しばね組立体を有するものにおいて、単純でわかり易い構造、高い動作確実性および信頼性は、靴ソールに嵌め込まれた支持体が、巻取ディスクを支承する底と操作部材の上側押釦を挿通される蓋とを備えた密閉ハウジングとして形成されており、巻取ディスクの中央貫通凹部に付設され非円形横断面を有する固定支軸がハウジングの底から突出し、相応する凹部を有する操作部材が軸線方向運動自由度を有して支軸に嵌着可能であり、戻しばね組立体が巻取ディスクおよび／または操作部材に作用し、かつ鎖錠機構の解除時に巻取ディスクと操作部材とをそれぞれの出発位置に戻すことによって達成することができる。【選択図】図１
2019526407.tif 000002
【特許請求の範囲】
【請求項１】
締め紐機構を備えた靴（１）の締め紐操作装置であって、靴ソール（２）に嵌め込まれた支持体内に回転可能に配置され軸線方向で固定された巻取部材と、前記巻取部材に作用して巻き取られることのできる少なくとも１つの締め紐要素（８）と、巻取ディスク（１６）に対して軸線方向で運動可能かつ前記靴（１）の着用者によって押し下げ可能で回転方向では鎖錠された操作部材（１０）とを有し、前記操作部材が前記巻取部材（１６）とねじ係合しており、前記巻取部材が、押し下げ可能な前記操作部材（１０）によって緊締方向で回動可能、かつ緊締位置で鎖錠機構によって鎖錠可能であり、前記鎖錠機構が、外部から操作可能な解除部材（１１）によって解除可能であり、さらに、前記靴（１）の着用者から加えられる力とは逆に働く戻しばね組立体（３３）を有し、前記戻しばね組立体が前記巻取部材（１６）および／または前記操作部材（１０）に作用し、かつ前記鎖錠機構の解除時に前記巻取部材（１６）および前記操作部材（１０）を各出発位置に戻し、前記支持体が、前記巻取部材（１６）の中央貫通凹部（１８）に付設された非円形断面の固定支軸（２１）を有し、相応する凹部（２２）を有する前記操作部材（１０）が軸線方向運動自由度をもって前記支軸に嵌着可能であるものにおいて、前記靴ソール（２）に嵌め込まれた前記支持体は前記支軸（２１）を突出させた底（２０）と前記操作部材（１０）の上側押釦を挿通される蓋とを備えた密閉ハウジングとして形成されており、前記巻取部材（１６）は前記ハウジングの前記底（２０）および／または前記蓋（１５）に対して玉軸受で支承される巻取ディスクとして形成されており、付設された循環軌道溝（４１）内で少なくとも上側または下側を延びる各1つの循環ボール・ケージ（４２）が設けられていることを特徴とする装置。
【請求項２】
前記巻取ディスク（１６）はその前記中央凹部（１８）の領域に、雌ねじの態様で配置されるねじ溝（１９）を備えており、円筒体として形成される前記操作部材（１０）は、前記巻取ディスク（１６）にねじ込み可能なその部分領域に、雄ねじの態様で配置される相応するねじ山（１７）を備えていることを特徴とする請求項１に記載の装置。
【請求項３】
前記巻取ディスク（１６）のねじ面と前記操作部材（１０）のねじ面が２３°〜２６°、主に２４．５°のリード角を有することを特徴とする請求項１または２に記載の装置。
【請求項４】
前記巻取ディスク（１６）はその中央貫通凹部（１８）と同心な湾曲スリット（３４）を有し、主に相応に湾曲した引き戻しばねとして形成される戻しばね（８）が前記湾曲スリット内に受容されており、前記戻しばねは一端が前記巻取ディスク（１６）に作用し、他端が保持ピン（３６）に作用し、前記保持ピンはハウジングと一体で主に前記ハウジングの前記底（２０）から突出して前記湾曲スリット（３４）に入り込むことを特徴とする請求項１〜３のいずれか１項に記載の装置。
【請求項５】
前記ハウジングの前記底（２０）および／または前記蓋（１５）は湾曲した前記戻しばねに付設された案内溝（４０）をそれぞれ有することを特徴とする請求項４に記載の装置。
【請求項６】
前記巻取ディスク（１６）はその前記中央貫通凹部（１８）と同心な別の湾曲スリット（３７）を有し、前記巻取ディスク（１６）の回転を限定する止めピン（３８）が前記湾曲スリットに入り込み、前記止めピンはハウジングと一体で前記ハウジングの前記底（２０）から突出していることを特徴とする請求項１〜５のいずれか１項に記載の装置。
【請求項７】
前記巻取ディスク（１６）は、外周側ハウジング開口部（４６）を介して前記ハウジングから引き出し可能な付属の締め紐要素（８）を掛止するための少なくとも１つの掛止要素（４３もしくは４４）を、巻取ディスク外周領域に設けられて有することを特徴とする請求項１〜６のいずれか１項に記載の装置。
【請求項８】
主に前記靴（１）のインソールまたはインレイソール（６）の凹部に嵌め込まれる比較的剛性な材料から成る加圧板（１２）が前記操作部材（１０）の、前記ハウジングの前記蓋（１５）に挿通される上側押釦に付設されていることを特徴とする請求項１〜７のいずれか１項に記載の装置。
【請求項９】
前記巻取ディスク（１６）を受容する前記ハウジングは半径方向ハウジング突部（１４ａ）を有し、前記ハウジング突部は前記巻取ディスク（１６）の外周側係止凹部（２５）に進入可能かつ半径方向で運動可能な阻止片（２４）と外に引き出された前記解除部材（１１）とをそれぞれに付設された滑り子配置ともども受容することを特徴とする請求項１〜８のいずれか１項に記載の装置。
【請求項１０】
前記阻止片（２４）と前記解除部材（１１）とにそれぞれ付設されたばね付勢式滑り子（２３、２７）が回転可能な２腕揺動子（２６）を介して互いに協働することを特徴とする請求項９に記載の装置。
【請求項１１】
前記ハウジングの外側で各締め紐要素（８）は底側に設けられる通路（４７）内に延在し、前記通路が主にカバーを備えており、前記通路内に主に少なくとも１つのばねが配置されており、前記ばねは付設された前記締め紐要素（８）が挿通され、一方で前記締め紐要素で支えられ、他方で通路側で支えられていることを特徴とする請求項１〜１０のいずれか１項に記載の装置。
【発明の詳細な説明】
【技術分野】
【０００１】
本発明は、締め紐機構を備えた靴の締め紐操作装置であって、靴ソールに嵌め込まれた支持体内に回転可能に配置され軸線方向で固定された巻取部材と、この巻取部材に作用して巻き取られることのできる少なくとも１つの締め紐要素と、巻取部材に対して軸線方向で運動可能かつ靴着用者によって押し下げ可能で回転方向では鎖錠された操作部材とを有し、この操作部材が巻取部材とねじ係合しており、この巻取部材が、押し下げ可能な操作部材によって緊締方向で回動可能、また緊締位置では鎖錠機構によって鎖錠可能であり、この鎖錠機構が、外部から操作可能な解除部材によって解除可能であり、さらに、靴着用者から加えられる力とは逆に働く戻しばね組立体を有し、この戻しばね組立体が巻取部材および／または操作部材に作用し、かつ鎖錠機構の解除時に巻取部材および操作部材を各出発位置に戻し、支持体が、巻取部材の中央貫通凹部に付設された非円形断面の固定支軸を有し、相応する凹部を有する操作部材が軸線方向運動自由度をもって支軸に嵌着可能である締め紐操作装置に関する。
【背景技術】
【０００２】
この種の装置が特許文献１により公知である。この公知組立体では支持体として単純な板が設けられており、この板から突出する垂直な支軸は横に張り出す案内帯板を備えており、相応する凹部を備えられて案内帯板によって回転方向で鎖錠された操作要素が軸線方向で該支軸に摺着可能であり、該操作要素が雄ねじを備えており、こうして雌ねじを備えて操作要素を取り囲むねじブシュと協働し、該ねじブシュが外周側一方向連結器を介して、該連結器を取り囲む巻胴と結合されており、該巻胴に締め紐要素が作用し、該巻胴が鎖錠機構と協働する。この公知組立体は高い構造支出を必要とし、構造高さを大きくする。
【０００３】
特許文献２から明らかとなる別の締め紐操作装置では、支持体として機能し靴ソールの凹部に嵌入可能なハウジングが設けられており、ハウジングと底と蓋との間に延在する垂直な支承ピンが該ハウジング内に設けられており、締め紐要素用巻取ディスクとその上に配置されて駆動索を受容する駆動ディスクとを備えたディスク積層体が軸線方向運動可能、回転可能に前記支承ピンで受容されている。締め紐要素の作用を受ける巻取ディスクはその下面と上面にくさび状爪車要素を備えており、締め紐要素は一方で底側に設けられる爪車要素と、他方で駆動ディスクの下面に設けられる爪車要素と協働し、それぞれ逆向きに１方向では遮断し、他方向では遮断しない。この公知組立体も、所要の爪車要素のゆえに高い構造支出を必要とし、ディスク積層体の軸線方向運動性のゆえに構造高さを比較的大きなものにする。ディスク積層体のディスクは付設された軸支ピンで半径方向おいてのみ支承されている。軸線方向運動性のゆえに軸線方向支承は可能でない。
【０００４】
別の締め紐操作装置が特許文献３により公知である。靴ソールに嵌め込まれる環状体が支持体として設けられており、該環状体は巻取ディスク用に上下が開口した空間を生じ、それゆえに巻取ディスクの支承が困難である。この公知組立体では巻取ディスクおよびそれとねじ係合した操作部材がそれぞれ爪車と結合されており、１方向でのみ回転を許容する付属の各爪が該爪車内に係合する。操作部材を押し下げると操作部材はこれとねじ係合した巻取ディスクの１回転が誘発されるように遮断され、またその逆とされる。巻取ディスクの回転は締め紐要素の引っ張りとは逆にのみ起きる。巻取ディスクおよび／または操作部材に入り込みまたはこれと協働する戻しばねは設けられていない。それゆえに、巻取ディスクと操作部材を出発位置に戻すのが困難である。この公知組立体には確かに戻しばねが設けられている。しかしこの戻しばねはソールに嵌め込まれた支持体とこの支持体に揺動可能に取り付けられてインレイソールの後部によって形成されるフラップとの間に配置されており、靴着用者から加えられる力と締め紐要素から伝達される力との間に潜在的均衡状態を実現することのみに役立つ。この公知組立体も構造が比較的複雑で動作確実性や信頼性が十分でない。
【先行技術文献】
【特許文献】
【０００５】
【特許文献１】韓国公開特許公報第１０２０１４００５５６５３号
【特許文献２】米国特許公報第７７２１４６８号
【特許文献３】米国公開特許公報第２００５０１９８８６７号
【発明の概要】
【発明が解決しようとする課題】
【０００６】
そのことを前提に本発明の課題は、上記先行技術の諸欠点を回避し、比較的単純で明快な構造を有し、僅かな構造高さで間に合い、なおかつ高い動作確実性と信頼性を確保する冒頭に指摘した種類の締め紐操作装置を提供することである。
【課題を解決するための手段】
【０００７】
この課題は、本発明によれば、靴ソールに嵌め込まれた支持体が、支軸を突出させた底と操作部材の上側押釦を挿通させた蓋とを備えた密閉ハウジングとして形成されており、巻取部材がハウジングの底および／または蓋に対して玉軸受で支承される巻取ディスクとして形成されており、付設された循環軌道溝内で少なくとも上側または下側を延びる各１つの循環ボール・ケージ（Kugelkranz）が設けられていることによって解決される。巻取ディスクに付設された支持体が密閉ハウジングを形成するので、そのなかで巻取ディスクを確実に支承できるだけでなく、汚れることなく巻取ディスクを受容することが確保されている。ハウジングの底から突出する非円形支軸によって、巻取ディスクとねじ係合した操作部材は下向き運動時にも上向き運動時にも回転方向で遮断されており、操作部材は下向き運動時に巻取ディスクを緊締方向で回転させ、他方で巻取ディスクの復帰によってその出発位置に戻される。巻取ディスクの玉支承は有利なことに巻取ディスクの動き易さを高める。同時に、軌道溝によって有利なことに確実な軸方向支承だけでなく同時に確実な半径方向支承も高めることができ、こうして全体として特別な動き易さだけでなく高い信頼性、耐故障性も達成することができる。
【０００８】
上位措置の有利な諸構成と望ましい諸改良は従属請求項に明示されている。
【０００９】
望ましくは、巻取ディスクはその中央凹部の領域に雌ねじの態様で設けられるねじ溝を備えておくことができ、また円筒体として形成される操作部材は巻取ディスクにねじ込み可能な部分領域に雄ねじの態様で設けられる相応するねじ山を備えておくことができる。ねじ溝とねじ山は有利なことに広い面での相互当接を可能とし、こうして動き易さにとって好ましい力分布を可能とする。この意味で、巻取ディスクおよび操作部材のねじ面のリード角が概ね２３°〜２６°、好ましくは厳密に２４．５°であると特別有利なことがある。
【００１０】
上位措置の他の改良において、巻取ディスクはその中央貫通凹部と同心の湾曲スリットを有することができ、主に相応に湾曲した引き戻しばねとして形成される戻しばねがこの湾曲スリットに受容されており、この戻しばねは一端が巻取ディスクに作用し、他端はハウジングの底から突出して湾曲スリットに入り込む保持ピンに作用する。これらの措置により、巻取ディスクに直接作用する戻しばねは特別コンパクトに省スペースで配置することができる。その際望ましくは、ハウジングの底および／または蓋は湾曲した戻しばねに付設された案内溝をそれぞれ有することができる。このことで確保されて、湾曲した引き戻しばねは殆ど閉じたトンネル内に延在し、それゆえに半径方向および軸線方向に回避することのないようにされており、動作確実性がさらに高まる。
【００１１】
他の望ましい措置は、巻取ディスクがその中央貫通凹部と同心な別の湾曲スリットを有し、ハウジングの底からやはり突出して巻取ディスクの回転を限定する止めピンがこの別の湾曲スリットに入り込むことにあるとすることができる。これにより、巻取ディスクが過回転できないことは確保され、動作確実性がさらに高まる。
【００１２】
望ましくは、巻取ディスクは外周側ハウジング開口部を介してハウジングから引き出し可能な付属の締め紐要素を掛止するための少なくとも１つの掛止要素を巻取ディスク外周範囲に設けられて有することができる。これらの措置により、締め紐要素の取付け取外しが簡単に可能となり、締め紐要素の交換が簡略化される。
【００１３】
上位措置の他の改良において、操作部材の、ハウジング蓋に挿通される上側押釦に、主に靴のインソール（中底）またはインレイソール（中敷）の凹部に嵌め込まれる比較的剛性な材料から成る加圧板を付設しておくことができる。これにより、靴着用者の踵の点状負荷に対抗され、履き心地が改善される。同時に、力が確実に操作部材に伝わることは確保される。
【００１４】
上位措置の他の改良において、巻取ディスクを受容するハウジングは半径方向ハウジング突部を有することができ、このハウジング突部は巻取ディスクの外周側係止凹部に進入可能かつ半径方向で運動可能な阻止片と外に引き出された解除部材とをそれぞれに付設された滑り子組立体ともども受容する。これらの措置により、施錠兼解除機構の単純でコンパクトな構造と簡単かつ確実な組立可能性が得られる。その際望ましくは、回転可能な２腕揺動子を介して互いに協働するばね付勢式滑り子を阻止片と解除部材とにそれぞれ付設しておくことができる。これにより、解除部材の非操作時に阻止片が巻取ディスクの外周側係止凹部内に自動的に係止できることは確保されている。
【００１５】
他の有利な措置は、ハウジングの外側で各締め紐要素が底側に設けられる通路内に延在し、この通路が主にカバーを備えており、この通路内に主に少なくとも１つのばねが配置されており、付設された締め紐要素をこのばねが挿通させ、これによりばねは一方でこの締め紐要素で支えられ、他方で通路側で支えられていることにあるとすることができる。これらの措置により締め紐要素は保護下に、したがって低摩擦低摩耗式に配置され、鎖錠機構の解除時に締め紐機構が確実に開放され、このことは通路側に設けられるばねによってなお促進することができる。
【００１６】
上位措置のその他の有利な諸構成と望ましい諸改良は残りの従属請求項に明示されており、図面を基に１実施例についての以下の説明から詳しく読み取ることができる。
【図面の簡単な説明】
【００１７】
【図１】本発明に係る装置を備えた靴の略図である。
【図２】本発明に係る装置の垂直断面を分解組立図で示す。
【図３】蓋と操作部材を取り去った本発明に係る装置の斜視平面図である。
【図４】ハウジング下部の詳細図である。
【図５】巻取ディスクの詳細図である。
【図６】操作部材の詳細図である。
【発明を実施するための形態】
【００１８】
図１の基となる靴１は、ソール２によって形成される下部と、その上に受容されて内部空間を画成する上部３とから成る。下部を形成するソール２がここでは、成形品によって形成される成形ソールとして形成され、この成形ソールに踏み面４が取り付けられている。上部３は縫合によって互いに結合された甲被５を含み、これらの甲被は詳しくは図示しないインソールに取り付けておくことでき、上部３はこのインソールでもってソール２に固着しておくことができる。図示例では、内部空間に挿入され場合によってはインソールを覆うインレイソール６がなお設けられている。
【００１９】
上部３は図１に認めることのできない伸縮スリットを甲領域に有し、この伸縮スリットに垂れ蓋７が被さっており、垂れ蓋の末端に作用する締め紐要素８は緊締して垂れ蓋７を緊締することができ、またその逆も可能である。垂れ蓋７が片側で固着されているかぎり、垂れ蓋７の緩み側に付設される１つの締め紐要素８で間に合う。締め紐要素８は、引張部材、押動部材として機能できる比較的圧縮剛性なプラスチック帯材で形成することができる。締め紐要素８は垂れ蓋側末端に、それぞれ付設された詳しくは図示しないフックを備えており、こうして、垂れ蓋側に取り付けられる詳しくは図示しないハト目に掛止可能とすることもできる。その際望ましくは、希望する緊締の調整が可能となるように各締め紐要素８に垂れ蓋側で複数のハト目を付設しておくことができる。
【００２０】
締め紐要素８を操作するためにソール２の後部領域に組み込まれた緊締機構９が設けられている。この緊締機構９は、上から操作可能な操作部材１０と外側から操作可能な解除部材１１とを有し、靴を引き締めるとき、靴にすべり込む靴着用者の足の踵が操作部材１０を押し下げ、これにより緊締過程が実行されるように、また解除部材１１の操作によって緊締が解除できるように構成されている。緊締機構９に被さるソール組立体は、ここではインソール６の態様であり、操作部材１０に付設された凹部を有することができる。この凹部内に操作部材１０は隙間なく入り込み、靴着用者の踵との直接的接触によって押し下げることができる。図示例では操作部材１０にインソール６が被さり、踵の直接的接触が起きない。その際望ましくは、操作部材１０に付設された剛性材料から成る加圧板１２、例えば鋼板がインソール６に嵌め込まれており、この加圧板が好ましい力の伝達を実行する。図示例では、緊締機構９を受容するソール側凹部を下側で画成して緊締機構９を下から支える耐荷性を有するが軽量の材料、例えばカーボンから成る補強板１３がソール２に嵌め込まれている。
【００２１】
ソール２に組み込まれた緊締機構９は密閉内部空間を画成するハウジングを有する。図２から明らかとなるようにこのハウジングは鍋状のハウジング下部１４とこれに付設された上蓋１５とを有する。ハウジングの内部空間内にある巻取ディスク１６はその軸線の周りで回転可能に支承され、軸線方向では固定されている。緊締過程を実行する締め紐要素８がこの巻取ディスクに巻取り可能であり、またその逆も可能である。巻取ディスク１６は既に上で述べた操作部材１０によって緊締方向で回転可能であり、この操作部材は蓋１５の当該穴に挿通され、靴着用者によって軸線方向で押し下げることができるようになっている。操作部材１０の軸線方向行程は蓋下部で突出する止め１０ａによって限定されており、この止めは半径方向鍔として形成しておくことができる。ハウジング下部１４、巻取ディスク１６、操作部材１０は図４〜図６に詳しく示してある。
【００２２】
靴着用者によって軸線方向で押し下げ可能な操作部材１０は、操作部材の軸線方向運動を巻取ディスク１６の回転運動に変換する傾斜面の態様で形成される変換機構を介して巻取ディスク１６と協働する。図示例において、円筒体から作製される操作部材１０はその下側領域に、雄ねじを形成するねじ山１７を備えている。巻取ディスク１６は中央凹部１８を含み、この凹部１８の領域に、雌ねじを形成するねじ溝１９を備えており、こうして操作部材１０と巻取ディスク１６は相互にねじ係合させることができる。
【００２３】
ハウジング下部１４が下側底２０を有し、この底で巻取ディスク１６は回転自在に支承されている。図示例において底２０に一体に成形される支軸２１はこの底から突出し、巻取ディスク１６の中央凹部１８に入り込む。この支軸２１の横断面は、図４から明らかとなるように、図示例において長方形から派生し、相対向する２つの側面で膨らんだ非円形である。操作部材１０は支軸２１に嵌着可能であり、このため図６から明らかとなるように支軸２１の非円形横断面に対応した横断面の下向きに開口した凹部２２を有する。支軸２１に嵌着可能な操作部材１０は支軸２１と凹部２２が非円形横断面であるため回転方向で鎖錠され、軸線方向でのみ自由に運動可能である。操作部材１０が押し下げられると操作部材のねじ山１７が巻取ディスク１６のねじ溝１９と係合し、これにより巻取ディスクが回転させられる。すなわち、操作部材１０の軸線方向運動は重なり合って滑動するねじ面によって、回転自在に支承される巻取ディスク１６の回転運動に変換される。ねじ山１７とねじ溝１９との重なり合って滑動するねじ面のリード角は望ましくは２３°〜２６°の範囲内、有利には厳密に２４．５°である。こうして、操作部材１０の所要行程と巻取ディスク１６の回転角とまだ始まっていないセルフロッキングとの間に最適な状況が得られる。
【００２４】
巻取ディスク１６の回転角は、締め紐要素８の望ましい緊締が達成されるように設計されている。緊締位置において巻取ディスク１６は、図３に示すように、既に上で触れた解除部材１１によって解除可能な鎖錠機構によって鎖錠される。この鎖錠機構に含まれる滑り子２３が阻止片２４を有し、この阻止片は巻取ディスク１６の緊締位置において巻取ディスク１６の外周側凹部２５に進入可能である。凹部２５は、巻取ディスク１６の緊締位置において、阻止片２４と符合する位置に凹部が達し、阻止片が滑り子２３によって進入可能となるように配置されている。滑り子２３は揺動子２６を介して、解除部材１１を含む別の滑り子２７と協働する。阻止片２４の進入方向に作用するばね２８が少なくとも一方の滑り子に、主に両方の滑り子２３、２７に、それぞれ付設されている。したがってこのばね組立体は、阻止片２４と符合する位置に凹部２５が達するや、阻止片２４を自動的にこの凹部に進入させる進入用ばね組立体として機能する。阻止片２４を進出させ、こうして巻取ディスク１６を解放するために、解除部材１１はばね２８のばね作用とは逆に加圧される。これは手動で行うことができ、あるいは単純に他方の靴で行うことができる。それゆえに解除部材１１は、加圧のため外部から到達可能となるように配置されている。
【００２５】
図３が具体的に示すように、鎖錠機構は半径方向ハウジング突部内にある。このためハウジング下部１４は相応する突部１４ａを備えている。同じことは当然に蓋１５についてもあてはまる。揺動子２６はハウジング側に設けられる軸ピン２９で支承されている。図２から明らかとなるようにこの軸ピンは、好適な受容穴３２を備えてハウジング側底２０と蓋１５とに一体に形成される受け口３０もしくは３１にその末端が入り込む金属ピンである。ハウジング底２０に支承ピンを一体に成形し、蓋側に設けられる受け口にその上端のみを入り込ませ、またその逆とすることも、当然考えられよう。
【００２６】
解除部材１１が加圧され、こうして阻止片２４が巻取ディスク１６の当該凹部との係合から外されるや、巻取ディスク１６およびそれとねじ係合した解除部材１０は出発位置に戻される。このため、巻取ディスク１６および／またはこれとねじ係合した操作部材１０に作用する戻しばね組立体が設けられている。図３には、巻取ディスク１６に一端で作用し、これを受容するハウジング下部１４に他端で作用する戻しばね３３が示唆してある。巻取ディスク１６は図３、図４がさらに示すようにその中央凹部１８と同心な湾曲スリット３４付きで設けられており、この湾曲スリット内に戻しばね３３が配置されている。このため図示例ではこの戻しばねが相応に湾曲した引き戻しばねとして形成され、その一端は湾曲スリット３４を橋絡する腹部３５に掛止され、他端はハウジング下部１４の底２０から突出して湾曲スリット３４に入り込む保持ピン３６に掛止されている。保持ピン３６にも同じことがあてはまり、これは上で軸ピン２９について既に述べたとおりである。保持ピン３６はハウジング下部１４の底２０に一体に成形しまたは取り付けておくことができ、その上端が蓋１５の当該凹部に入り込み、またはその逆とされる。すなわち、保持ピン３６は蓋１５に一体に成形しまたは取り付け、その下端を底２０の当該凹部に入り込ませることもできよう。戻しばね３３を補足してまたはその代案として、操作部材１０に付設した戻しばねをなお設けておくこともできよう。この戻しばねは例えば凹部２２内に配置される圧縮ばねとして形成し、一端を凹部２２の内端で支え、他端を支軸２１の端面で支えることができよう。付加的戻し作用は、少なくとも当初は、緊締された締め紐要素８からも派生する。
【００２７】
巻取ディスク１６の過回転を確実に防止するために巻取ディスクは図３と図５がさらに示すように中央凹部１８と同心な別の湾曲スリット、この場合戻しばね３３に付設された湾曲スリット３４に向き合う湾曲スリット３７を備えており、そのなかに、ハウジング下部１４の底２０から突出する止めピン３８が入り込む。この止めピン３８にも軸ピン２９についてと同じことがあてはまる。すなわち、この止めピンは底２０に一体に成形しまたは取り付け、その上端を蓋１５の当該凹部に入り込ませることができ、あるいはその逆に蓋１５に一体に成形しまたは取り付け、その下端を底側凹部に入り込ませることができる。
【００２８】
湾曲した引き戻しばねとして形成した戻しばね３３を巻取ディスク１６の当該湾曲スリット３４内で確実に保持するために戻しばねは望ましくは底側および／または蓋側で支えられ、図示例では両側で支えられている。このため、図２から最も良好に認められるように、底２０と蓋１５は巻取ディスク１６の湾曲スリット３４に付設されて相応に湾曲した腹部３９をそれぞれ備えており、湾曲した戻しばね３３は下側と上側をこの腹部で支えておくことができる。図示例において腹部３９は相応する条溝または溝４０をそれぞれ備えており、この溝内に戻しばね３３は外周側で入り込むことができ、事実上戻しばね３３のトンネル状受容が得られる。図示例において溝の横断面が戻しばね３３の横断面に適合されており、面状当接もしくは抱持が得られる。しかし相互摩擦を減らすために、溝４０は、戻しばね３３が溝の相向き合う上縁稜にのみ当接し、または外周側に僅かな遊隙を有することになるように形成することも考えられよう。
【００２９】
緊締機構９のハウジングの内部空間内に配置される巻取ディスク１６は図２から明らかとなるようにハウジング下部１４の底２０に載置され、これに取付可能な蓋１５が被せられ、巻取ディスク１６が確実に支承されている。単純な事例では巻取ディスク１６をハウジング下部１４の底２０で支承しておけば十分であり、図示例では玉支承が設けられている。このためハウジング下部１４は図４から明らかとなるように、底２０から突出して巻取ディスク１６の中央凹部１８に入り込む支軸２１と同心に配置される軌道溝４１を備えており、この軌道溝内にボール・ケージ４２が配置されている。付加的にまたは選択的に、巻取ディスク１４の下面にも、ボール・ケージ４２が入り込む相応する軌道溝４１を備えておくことができる。図示例においてボール・ケージ４２は図２から具体的に認められるように両側で、すなわち下でも上でも底２０および巻取ディスク１６の各付設された軌道溝に入り込み、こうして確実な軸方向支承と半径方向支承が得られる。
【００３０】
図示例において図２によれば巻取ディスク１６の上面領域にも当該軸受組立体が設けられている。このためこの軸受組立体は図３から明らかとなるようにその上面領域にその中央貫通凹部１８と同心な軌道溝４１を備えており、この軌道溝に挿入されたボール・ケージ４２に蓋１５の相応する軌道溝４１も付設されている。巻取ディスク１６のこの両側玉支承によって巻取ディスクは両側で軸方向でも半径方向でも確実に支承されている。
【００３１】
上で既に触れた締め紐要素８は巻取ディスク１６の回転時に巻取ディスクの外周に巻き取られ、またその逆とされる。このため巻取ディスク１６はその外周領域に、当該締め紐要素８を掛止するための少なくとも１つの掛止手段を備えている。図５ではこのために巻取ディスク１６の外周領域に掛止ピン４３が設けられており、付設された締め紐要素８の当該末端に設けられるハト目をこのピンに掛止することができる。締め紐要素８を１つだけ配置する場合、掛止ピン４３等の掛止要素は１つで間に合う。図５に示す掛止ピン４３は巻取ディスク１６の上面に付設されている。２つの締め紐要素８を配置する場合、相応する掛止手段は付加的に巻取ディスク１６の下面にも設けておくことができる。この種の配置が図３に示唆してある。図３の基となる例において、巻取ディスク１６の外周領域に設けられる締め紐要素８用掛止手段はアンダカット袋穴４４として形成されており、付設された締め紐要素８の当該末端に取り付けられる釦４５をこの袋穴に差し込むことができる。図３には２つの締め紐８を認めることができる。こうして巻取ディスク１６は、この場合アンダカット凹部４４の態様の相応する掛止手段を、この場合上と下とに備えている。同様に、図５に示す掛止手段は上と下とに設けておくこともできよう。
【００３２】
巻取ディスク１６に巻取り可能な締め紐要素８は図３、図４から明らかとなるようにハウジング、この場合ハウジング下部１４、の共通する外周側開口部４６、または複数のそれぞれに付設された外周側開口部を介してハウジング内部から引き出され、窓状開口部４６の隅で方向転換が起きる。ここで摩耗に対抗するために、図３と図４から明らかとなるように当該隅は丸みを付け、相応に厚くしておくことができる。開口部４６を介してハウジングから引き出された締め紐要素はハウジングの外側で図１に示唆した通路４７内を延びることができ、この通路は底側に設けられ、外側を施蓋されている。必要ならこの通路内に付加的戻しばね組立体を設けておくことができ、この戻しばね組立体は付設された締め紐要素８を挿通され、一方でこの締め紐要素で、他方で通路側で支えられる。
【００３３】
以上、本発明の好ましい実施例を詳しく述べてきたのではあるが、これは限定するものではない。例えば、巻取ディスク１６を円形に形成するのでなく卵形または楕円形とし、回転角当たりの巻取行程を或る外周部分領域内で増大させ、巻取ディスク１６の比較的小さな回転角で既に締め紐要素８の希望する短縮、つまり希望する引き戻しを達成できるようにすることも難なく考えられよう。
【図１】
2019526407.tif 000003
【図２】
2019526407.tif 000004
【図３】
2019526407.tif 000005
【図４】
2019526407.tif 000006
【図５】
2019526407.tif 000007
【図６】
2019526407.tif 000008
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
締め紐機構を備えた靴（１）の締め紐操作装置であって、靴ソール（２）に嵌め込まれた支持体内に回転可能に配置され軸線方向で固定された巻取部材（１６）と、前記巻取部材に作用して巻き取られることのできる少なくとも１つの締め紐要素（８）と、巻取ディスク（１６）に対して軸線方向で運動可能かつ前記靴（１）の着用者によって押し下げ可能で回転方向では鎖錠された操作部材（１０）とを有し、前記操作部材が前記巻取部材（１６）とねじ係合しており、前記巻取部材が、押し下げ可能な前記操作部材（１０）によって緊締方向で回動可能、かつ緊締位置で鎖錠機構によって鎖錠可能であり、前記鎖錠機構が解除部材（１１）によって解除可能であり、さらに、前記靴（１）の着用者から加えられる力とは逆に働く戻しばね組立体（３３）を有し、前記戻しばね組立体が前記巻取部材（１６）および／または前記操作部材（１０）に作用し、かつ前記鎖錠機構の解除時に前記巻取部材（１６）および前記操作部材（１０）を各出発位置に戻し、前記支持体が、前記巻取部材（１６）の中央貫通凹部（１８）に付設された非円形断面の固定支軸（２１）を有し、相応する凹部（２２）を有する前記操作部材（１０）が軸線方向運動自由度をもって前記支軸に嵌着可能であるものにおいて、前記靴ソール（２）に嵌め込まれた前記支持体は前記支軸（２１）を突出させた底（２０）と前記操作部材（１０）の上側押釦を挿通される蓋と外部から操作可能な前記解除部材（１１）用の半径方向ハウジング突部（４ａ）とを備えた密閉ハウジングとして形成されており、前記巻取部材（１６）は前記ハウジングの前記底（２０）および／または前記蓋（１５）に対して玉軸受で支承される巻取ディスクとして形成されており、軸方向支承と半径方向支承を同時に形成するために、付設された循環軌道溝（４１）内で少なくとも上側または下側を延びる各1つの循環ボール・ケージ（４２）が設けられていることを特徴とする装置。
【請求項２】
前記巻取ディスク（１６）はその前記中央凹部（１８）の領域に、雌ねじの態様で配置されるねじ溝（１９）を備えており、円筒体として形成される前記操作部材（１０）は、前記巻取ディスク（１６）にねじ込み可能なその部分領域に、雄ねじの態様で配置される相応するねじ山（１７）を備えていることを特徴とする請求項１に記載の装置。
【請求項３】
前記巻取ディスク（１６）のねじ面と前記操作部材（１０）のねじ面が２３°〜２６°、主に２４．５°のリード角を有することを特徴とする請求項１または２に記載の装置。
【請求項４】
前記巻取ディスク（１６）はその中央貫通凹部（１８）と同心な湾曲スリット（３４）を有し、主に相応に湾曲した引き戻しばねとして形成される戻しばね（８）が前記湾曲スリット内に受容されており、前記戻しばねは一端が前記巻取ディスク（１６）に作用し、他端が保持ピン（３６）に作用し、前記保持ピンはハウジングと一体で主に前記ハウジングの前記底（２０）から突出して前記湾曲スリット（３４）に入り込むことを特徴とする請求項１〜３のいずれか１項に記載の装置。
【請求項５】
前記ハウジングの前記底（２０）および／または前記蓋（１５）は湾曲した前記戻しばねに付設された案内溝（４０）をそれぞれ有することを特徴とする請求項４に記載の装置。
【請求項６】
前記巻取ディスク（１６）はその前記中央貫通凹部（１８）と同心な別の湾曲スリット（３７）を有し、前記巻取ディスク（１６）の回転を限定する止めピン（３８）が前記湾曲スリットに入り込み、前記止めピンはハウジングと一体で前記ハウジングの前記底（２０）から突出していることを特徴とする請求項１〜５のいずれか１項に記載の装置。
【請求項７】
前記巻取ディスク（１６）は、外周側ハウジング開口部（４６）を介して前記ハウジングから引き出し可能な付属の締め紐要素（８）を掛止するための少なくとも１つの掛止要素（４３もしくは４４）を、巻取ディスク外周領域に設けられて有することを特徴とする請求項１〜６のいずれか１項に記載の装置。
【請求項８】
主に前記靴（１）のインソールまたはインレイソール（６）の凹部に嵌め込まれる比較的剛性な材料から成る加圧板（１２）が前記操作部材（１０）の、前記ハウジングの前記蓋（１５）に挿通される上側押釦に付設されていることを特徴とする請求項１〜７のいずれか１項に記載の装置。
【請求項９】
前記巻取ディスク（１６）を受容する前記ハウジングは半径方向ハウジング突部（１４ａ）を有し、前記ハウジング突部は前記巻取ディスク（１６）の外周側係止凹部（２５）に進入可能かつ半径方向で運動可能な阻止片（２４）と外に引き出された前記解除部材（１１）とをそれぞれに付設された滑り子配置ともども受容することを特徴とする請求項１〜８のいずれか１項に記載の装置。
【請求項１０】
前記阻止片（２４）と前記解除部材（１１）とにそれぞれ付設されたばね付勢式滑り子（２３、２７）が回転可能な２腕揺動子（２６）を介して互いに協働することを特徴とする請求項９に記載の装置。
【請求項１１】
前記ハウジングの外側で各締め紐要素（８）は底側に設けられる通路（４７）内に延在し、前記通路が主にカバーを備えており、前記通路内に主に少なくとも１つのばねが配置されており、前記ばねは付設された前記締め紐要素（８）が挿通され、一方で前記締め紐要素で支えられ、他方で通路側で支えられていることを特徴とする請求項１〜１０のいずれか１項に記載の装置。
【国際調査報告】
2019526407.tif 000009
2019526407.tif 000010
2019526407.tif 000011
2019526407.tif 000012